(57)【特許請求の範囲】
【請求項１】
導光板で形成された押圧部と、この押圧部の表面又は裏面のいずれか一方に設けられた中央シボ加工部と、前記押圧部の裏面又は表面のいずれか他方に設けられた周辺シボ加工部と、前記押圧部の側面に対向するように配置され、前記中央シボ加工部に向けて照光する第１の光源と、前記押圧部の側面に対向するように配置され、前記周辺シボ加工部に向けて照光する第２の光源と、を備え、
前記第１の光源又は前記第２の光源のいずれか一方が前記中央シボ加工部を最も明るく照らしいずれか他方が前記周辺シボ加工部を最も明るく照らすように、前記第１の光源と前記第２の光源とが押圧方向にずれるように配置されたことにより、前記第１の光源の光と前記第２の光源の光とが干渉しないことを特徴とするエレベータの押しボタンスイッチ。
【請求項２】
導光板で形成された押圧部と、この押圧部の表面に設けられた中央シボ加工部と、前記押圧部の裏面に設けられた周辺シボ加工部と、前記押圧部の側面に対向するように配置され、前記中央シボ加工部に向けて照光する第１の光源と、前記押圧部の側面に対向するように配置され、前記周辺シボ加工部に向けて照光する第２の光源と、を備え、
押圧方向に対する前記第１の光源の照光角度と前記第２の光源の照光角度が互いに異なっていることにより、前記第１の光源の光と前記第２の光源の光とが干渉しないことを特徴とするエレベータの押しボタンスイッチ。
【請求項３】
導光板で形成された押圧部と、この押圧部の裏面に設けられた中央シボ加工部と、前記押圧部の裏面に設けられた周辺シボ加工部と、前記押圧部の側面に対向するように配置され、前記中央シボ加工部に向けて照光する第１の光源と、前記押圧部の側面に対向するように配置され、前記周辺シボ加工部に向けて照光する第２の光源と、を備え、
前記押圧部における前記中央シボ加工部が形成された面と前記周辺シボ加工部が形成された面とが押圧方向に対して傾斜すると共に、これらの面の傾斜角度が互いに異なっていることにより、前記第１の光源の光と前記第２の光源の光とが干渉しないことを特徴とするエレベータの押しボタンスイッチ。
【請求項４】
前記中央シボ加工部が前記押圧部の表面に設けられ、前記周辺シボ加工部が前記押圧部の裏面全面に設けられたことを特徴とする請求項１記載のエレベータの押しボタンスイッチ。
【請求項５】
前記第１の光源の光の色と前記第２の光源の光の色とが異なっていることを特徴とする請求項１記載のエレベータの押しボタンスイッチ。
【請求項６】
前記第１の光源の光の色と前記第２の光源の光の色が異なると共に、前記第１の光源と前記第２の光源をそれぞれ単独又は同時に点灯させることができることを特徴とする請求項４記載のエレベータの押しボタンスイッチ。
【請求項７】
前記中央シボ加工部が文字や数字の形状に形成されたことを特徴とする請求項１記載のエレベータの押しボタンスイッチ。
【請求項８】
前記第１の光源が、前記押圧部の１つの側面に対向するように配置され、
前記第２の光源が、前記側面と交差する側面に対向するように配置されていることを特徴とする請求項１〜７のうちいずれか１項に記載のエレベータの押しボタンスイッチ。
【請求項９】
導光板で形成された押圧部と、この押圧部の裏面に設けられた中央シボ加工部と、前記押圧部の裏面に設けられた周辺シボ加工部と、前記押圧部の側面に対向するように配置され、前記中央シボ加工部に向けて照光する第１の光源と、前記押圧部の側面に対向するように配置され、前記周辺シボ加工部に向けて照光する第２の光源と、を備え、
前記押圧部の裏面の中央部を横断するように前記中央シボ加工部が設けられ、これを挟み込むように一対の前記周辺シボ加工部が前記押圧部の裏面に設けられ、前記中央シボ加工部は前記押圧部の一方の側に向けて傾斜した面に形成され、前記各周辺シボ加工部はその反対方向に向けて傾斜した面に形成され、前記第１の光源は前記押圧部の一方の側に配置されると共に他方の側に向けて照光し、前記第２の光源は前記押圧部の他方の側に配置されると共に一方の側に向けて照光することにより、前記第１の光源の光と前記第２の光源の光とが干渉しないことを特徴とするエレベータの押しボタンスイッチ。
【発明の詳細な説明】
【技術分野】
【０００１】
本発明は、エレベータの操作盤に設けられる押しボタンスイッチに関する。
【背景技術】
【０００２】
従来、この種の押しボタンスイッチは、押圧部を導光板で形成し、その裏面側にＬＥＤを配置して導光板を光らせる構成となっており、照光範囲に応じてＬＥＤを配置する必要が有るため、ＬＥＤの数が多く、光を拡散させるために大きな奥行き寸法も必要であった。
【０００３】
また、この種の押しボタンスイッチには、二種類の光源で導光板を二重照光するものもあるが、その場合、仕切り箱、光拡散板への遮光印刷等が必要であり、構造が複雑であるという問題点が有った。
【発明の開示】
【発明が解決しようとする課題】
【０００４】
本発明は上記問題点に鑑みてなされたものであり、その目的は、部品点数が少なくて構造が簡素であり、かつ奥行き寸法が小さくて薄型のエレベータの押しボタンスイッチを提供することにある。
【課題を解決するための手段】
【０００５】
上記目的を達成するために、本発明は、導光板で形成された押圧部と、この押圧部の表面又は裏面のいずれか一方に設けられた中央シボ加工部と、前記押圧部の裏面又は表面のいずれか他方に設けられた周辺シボ加工部と、前記押圧部の側面に対向するように配置され、前記中央シボ加工部に向けて照光する第１の光源と、前記押圧部の側面に対向するように配置され、前記周辺シボ加工部に向けて照光する第２の光源と、を備え、前記第１の光源又は前記第２の光源のいずれか一方が前記中央シボ加工部を最も明るく照らしいずれか他方が前記周辺シボ加工部を最も明るく照らすように、前記第１の光源と前記第２の光源とが押圧方向にずれるように配置されたことにより、前記第１の光源の光と前記第２の光源の光とが干渉しないことを特徴とするエレベータの押しボタンスイッチである。
【発明の効果】
【０００６】
本発明によれば、各光源が押圧部の側面と対向するように配置されているため、奥行き寸法を小さくして薄型にすることができる。また、各光源が中央シボ加工部や周辺シボ加工部を側方から照光するようにしたことで、各光源の照光範囲が広いため、光源の数を少なくすることができる。また、第１の光源と第２の光源の光が干渉しないので、仕切り箱、光拡散部への遮光印刷等が不要である。したがって、部品点数を少なくすることができ、構造が簡素となる。
【発明を実施するための最良の形態】
【０００７】
以下、本発明の一実施形態を図面に基づいて説明する。図１は本発明の第１の実施形態の平面図、図２は図１の側面図である。
【０００８】
これらの図において、１は押圧部で、透光性樹脂から成る導光板で形成されている。押圧部１は矩形状に形成され、各角部の側面から突片１ａが側方に向けて突出している。
【０００９】
押圧部１の表面の中央部には矩形状の中央シボ加工部２（右上がりの斜線が施された部分）が形成されている。また、押圧部１の裏面の中央シボ加工部２と対向する領域を除いた領域にはロの字形の周辺シボ加工部３（右下がりの斜線が施された部分）が形成されている。これらのシボ加工部２、３は多数の微細な凹凸が形成されたもので、後述するＬＥＤ６、７から射出される光を反射・拡散する。
【００１０】
４は基板で、押圧部１の裏面に対向するように配置されている。この基板４と押圧部１の各突片１ａとの間にはバネ５が設けられ、押圧部１を押圧方向と反対の方向に付勢している。なお、押圧部１は図示しないガイド部材により押圧方向にガイドされている。
【００１１】
押圧部１の一つの側面に対向するように複数個のＬＥＤ６が配置されており、これらのＬＥＤ６は縦方向に光を射出する。各ＬＥＤ６の基板３からの高さは中央シボ加工部２を最も明るく照らすことができるように設定されている。
【００１２】
また、押圧部１におけるＬＥＤ６に対向する側面と交差する一つの側面に対向するように複数個のＬＥＤ７が配置されており、これらのＬＥＤ７は横方向に光を射出する。各ＬＥＤ７の基板４からの高さは周辺シボ加工部３を最も明るく照らすことができるように設定されている。
【００１３】
なお、ＬＥＤ６の基板４からの高さとＬＥＤ７の基板４からの高さは異なっており、ＬＥＤ６、７が押圧方向にずらして配置された状態となっている。
【００１４】
この押しボタンスイッチは、ＬＥＤ６、７が押圧部１の側面と対向するように配置されているため、奥行き寸法を小さくして薄型にすることができる。
【００１５】
また、ＬＥＤ６、７が中央シボ加工部２や周辺シボ加工部３を側方から照光するようにしたことで、各ＬＥＤの照射範囲が広く、ＬＥＤの個数を少なくすることができる。
【００１６】
また、ＬＥＤ６、７の照光方向が異なると共に基板４からの高さが異なることで、ＬＥＤ６、７の光が互いに干渉せず、仕切り箱、光拡散板への遮光印刷等が不要である。したがって、部品点数が少なくすることができて構造が簡素になると共にコストダウンを図ることができる。また、ボタン配置、設計も容易となる。
【００１７】
次に、本発明の第２の実施形態を説明する。図３、図４は本発明の第２の実施形態の要部側面図である。なお、以下の各実施形態において、第１の実施形態と同一又は類似の部分には同一の符号を用いており、重複する説明は省略してある。
【００１８】
本実施形態では、第１の実施形態のようにＬＥＤ６、７を押圧方向にずらして配置する代わりに、押圧方向に対するＬＥＤ６、７の照光角度が互いに異なるようにしている。
【００１９】
すなわち、ＬＥＤ６、７の基板４からの高さはほぼ同じで、ＬＥＤ６は光を縦方向で且つ押圧部１の表面に向けて照光するように傾けて配置され、ＬＥＤ７は光を横方向で且つ押圧部１の裏面に向けて照光するように傾けて配置されている。なお、図中の斜線はＬＥＤ６、７が射出する光を表している。
【００２０】
本実施形態でも、第１の実施形態と同様の効果を得ることができる。
【００２１】
次に、本発明の第３の実施形態を説明する。図５は本発明の第３の実施形態の側面図、図６は図５のＡ−Ａ線断面図である。
【００２２】
本実施形態では、中央シボ加工部２と周辺シボ加工部３がいずれも押圧部１の裏面に設けられている。そして、中央シボ加工部２と周辺シボ加工部３はそれぞれ押圧方向に対して傾斜しており、かつそれらの傾斜角度が互いに異なっている。
【００２３】
ＬＥＤ６は押圧部１の裏面の中央部を縦方向に照光するように配置され、ＬＥＤ７は押圧部１の裏面の上部と下部を横方向に照光するように配置されている。なお、図中の斜線は断面を表している。
【００２４】
本実施形態でも、第１の実施形態と同様の効果を得ることができる。
【００２５】
次に、本発明の第４の実施形態を説明する。図７は本発明の第４の実施形態の平面図である。
【００２６】
本実施形態では、押圧部１の裏面の全面に周辺シボ加工部３と同様の凹凸加工を施している。その他の構成は第１の実施形態と同様である。このようにすると、第１の実施形態と同様の効果が得られる他、中央シボ加工部２がその周囲よりも明るく強調されて見えるという効果が得られる。
【００２７】
次に、本発明の第５の実施形態を説明する。図８は本発明の第５の実施形態の平面図である。
【００２８】
本実施形態が第１の実施形態と異なる点は、ＬＥＤ６の光の色とＬＥＤ７の光の色とを互いに異なる色としている点である。その他の構成は第１の実施形態と同様である。
【００２９】
本実施形態では、第１の実施形態と同様の効果が得られる他、中央シボ加工部２と周辺シボ加工部３が異なる色で発光するため、装飾性が向上するという効果が得られる。
【００３０】
次に、本発明の第６の実施形態を説明する。図９は本発明の第６の実施形態の平面図である。
【００３１】
本実施形態では、中央シボ加工部２を階床等を表す数字や文字としている。この場合、第１の実施形態と同様の効果を得ることができる他に、文字や数字が照光されて浮かび上がった状態となり、装飾性が向上するという効果が得られる。
【００３２】
次に、本発明の第７の実施形態を説明する。図１０は本発明の第７の実施形態の平面図である。
【００３３】
本実施形態は、第４の実施形態と第５の実施形態を組み合わせたものである。すなわち、押圧部１の裏面側の全面に周辺シボ加工部３と同様の凹凸加工を施してあり、ＬＥＤ６の光の色とＬＥＤ７の光の色とを互いに異なる色としている。このようにすると、第４、第５の実施形態の効果が得られるだけでなく、中央シボ加工部３の色がＬＥＤ６とＬＥＤ７を混合した色になり、装飾性が向上するという効果が得られる。また、ＬＥＤ６、７を単独で点灯させることができるようにすると、合計３色の点灯パターンを実現することができる。
【００３４】
次に、本発明の第８の実施形態を説明する。図１１は本発明の第８の実施形態の平面図、図１２は図１１のＢ−Ｂ線断面図、図１３は図１１のＣ−Ｃ線断面図である。
【００３５】
本実施形態では、押圧部１の裏面の中央部を横断するように中央シボ加工部２が設けられ、これを上下に挟み込むように一対の周辺シボ加工部３が押圧部１の裏面に設けられている。中央シボ加工部２は右方向に向けて下方に傾斜した面に形成され、周辺シボ加工部３はその反対方向に傾斜した面に形成されている。
【００３６】
そして、押圧部１の一方の側にＬＥＤ６が配置され、中央シボ加工部２を右方向に照光する。また、押圧部１の他方の側にＬＥＤ７がＬＥＤ６とほぼ同じ高さに配置され、周辺シボ加工部３を左方向に照光する。
【００３７】
なお、図１１の斜線は中央シボ加工部２と周辺シボ加工部３の範囲、図１２、図１３の斜線は断面を表している。
【００３８】
本実施形態においても、第１の実施形態と同様の効果を得ることができる。
【００３９】
以上、具体例を挙げて本発明の一実施形態について説明したが、本発明は上記実施形態に限定されるものではなく、本発明の要旨を逸脱しない範囲で上記実施形態に種々の改変を施すことができる。
【図面の簡単な説明】
【００４０】
【図１】本発明の第１の実施形態の平面図。
【図２】図１の側面図。
【図３】本発明の第２の実施形態の要部側面図。
【図４】本発明の第２の実施形態の要部側面図。
【図５】本発明の第３の実施形態の側面図。
【図６】図５のＡ−Ａ線断面図。
【図７】本発明の第４の実施形態の平面図。
【図８】本発明の第５の実施形態の平面図
【図９】本発明の第６の実施形態の平面図
【図１０】本発明の第７の実施形態の平面図
【図１１】本発明の第８の実施形態の平面図。
【図１２】図１１のＢ−Ｂ線断面図。
【図１３】図１１のＣ−Ｃ線断面図。
【符号の説明】
【００４１】
１  押圧部
２  中央シボ加工部
３  周辺シボ加工部
６  ＬＥＤ（第１の光源）
７  ＬＥＤ（第２の光源）
【図１】
0004834364.tif 000002
【図２】
0004834364.tif 000003
【図３】
0004834364.tif 000004
【図４】
0004834364.tif 000005
【図５】
0004834364.tif 000006
【図６】
0004834364.tif 000007
【図７】
0004834364.tif 000008
【図８】
0004834364.tif 000009
【図９】
0004834364.tif 000010
【図１０】
0004834364.tif 000011
【図１１】
0004834364.tif 000012
【図１２】
0004834364.tif 000013
【図１３】
0004834364.tif 000014